(57)【要約】【課題】無線タグの有効活用を図る。【解決手段】ＭＦＰ１００のシステム制御部１１８が通信制御部１１２を介し、無線タグ２００にセットアップ情報が記憶されているかどうか確認し、セットアップ情報が記憶されている場合はセットアップ情報を読み込み、セットアップ情報に基づきセットアップを実行し、ステータス情報をセットアップの状態に合わせて書き換える。また、携帯端末３００のシステム制御部３１５が無線タグ２００との通信を制御する通信制御部３１１を介し、無線タグ２００のデータ書き込み領域を管理するＮＦＣ情報（管理情報）を読み込み、ＮＦＣ情報（管理情報）に空き領域２０２が有る場合、空き領域２０２にセットアップの状態を示すステータス情報を有したセットアップ情報を書き込む。【選択図】図２
2018013951.tif 000002
【特許請求の範囲】
【請求項１】
セットアップの状態を示すステータス情報を有したセットアップ情報の記憶が可能な無線タグとの通信を制御する第１の通信制御部と、
前記第１の通信制御部を介して前記無線タグに前記セットアップ情報が記憶されているかどうか確認し、前記セットアップ情報が記憶されている場合は前記セットアップ情報を読み込む第１のシステム制御部とを備え、
前記第１のシステム制御部は、前記セットアップ情報に基づきセットアップを実行し、前記ステータス情報を前記セットアップの状態に合わせて書き換える
ことを特徴とする電子機器。
【請求項２】
前記第１のシステム制御部は、前記セットアップが未完了、完了又は失敗のいずれかである場合、前記ステータス情報をセットアップ未完了、セットアップ完了又はセットアップ失敗のいずれかとすることを特徴とする請求項１に記載の電子機器。
【請求項３】
無線タグとの通信を制御する第２の通信制御部と、
前記第２の通信制御部を介し、前記無線タグのデータ書き込み領域を管理する管理情報を読み込む第２のシステム制御部とを備え、
前記第２のシステム制御部は、前記管理情報に空き領域が有る場合、前記空き領域にセットアップの状態を示すステータス情報を有したセットアップ情報を書き込む
ことを特徴とする電子機器。
【請求項４】
前記第２のシステム制御部は、前記管理情報に空き領域が無い場合、前記ステータス情報がセットアップ完了又はセットアップ失敗のいずれかに書き換えられているとき、前記セットアップ完了又はセットアップ失敗のセットアップ情報に新たなセットアップ情報を書き込むことを特徴とする請求項３に記載の電子機器。
【請求項５】
セットアップの状態を示すステータス情報を有したセットアップ情報の記憶が可能な無線タグとの通信を制御する工程と、
前記無線タグに前記セットアップ情報が記憶されているかどうか確認し、前記セットアップ情報が記憶されている場合は前記セットアップ情報を読み込む工程と、
前記セットアップ情報に基づきセットアップを実行し、前記ステータス情報を前記セットアップの状態に合わせて書き換える工程とを電子機器を制御するコンピューターに実行させる
ことを特徴とする情報更新プログラム。
【請求項６】
無線タグとの通信を制御する工程と、
前記無線タグのデータ書き込み領域を管理する管理情報を読み込む工程と、
前記管理情報に空き領域が有る場合、前記空き領域にセットアップの状態を示すステータス情報を有したセットアップ情報を書き込む工程とを電子機器を制御するコンピューターに実行させる
ことを特徴とする情報更新プログラム。
【発明の詳細な説明】
【技術分野】
【０００１】
本発明は、ＮＦＣ（Ｎｅａｒ  Ｆｉｅｌｄ  Ｃｏｍｍｕｎｉｃａｔｉｏｎｓ）タグなどの無線タグに対する情報の書き込みに適した電子機器及び情報更新プログラムに関する。
【背景技術】
【０００２】
たとえば、プリンター、多機能プリンター、複合機などのＭＦＰ（Ｍｕｌｔｉｆｕｎｃｔｉｏｎ  Ｐｅｒｉｐｈｅｒａｌ）である画像形成装置においては、ネットワーク接続で必要となる有線又は無線の接続情報や、機器名称などの機器情報などを記憶するＮＦＣタグなどの無線タグを搭載する場合がある。
【０００３】
なお、無線タグは画像形成装置によって管理されることにより、無線タグの接続情報や機器情報は画像形成装置によって書き換えられる。特に、画像形成装置側の無線タグに対する更新設定が自動に設定されていると、接続情報の更新に伴い、画像形成装置が無線タグの接続情報を自動更新する。また、携帯端末に搭載されている無線タグリーダーライター機能により、無線タグの接続情報や機器情報を読み込んだり、無線タグにたとえば携帯端末に搭載されている様々なアプリケーションプログラムを起動させるためのユーザー固有情報を書き込んだりすることもできる。
【０００４】
このような無線タグを搭載したものとして、特許文献１では、プリンターに出力先に関する情報などを記憶したＩＣ（Ｉｎｔｅｇｒａｔｅｄ  Ｃｉｒｃｕｉｔ）タグを装着し、ＩＣカードリーダーを有した携帯端末によってＩＣタグの出力先に関する情報を読み取り、クライアントＰＣ（Ｐｅｒｓｏｎａｌ  Ｃｏｍｐｕｔｅｒ））に出力先に関する情報や印刷設定などを通知すると、クライアントＰＣがスプールしているジョブ情報を出力先のプリンターに送信することで、印刷処理を行わせる印刷システムを提案している。
【先行技術文献】
【特許文献】
【０００５】
【特許文献１】特開２０１３−１８６８２４号公報
【発明の概要】
【発明が解決しようとする課題】
【０００６】
上述した特許文献１での印刷システムでは、携帯端末によりプリンターに装着されているＩＣタグから読み取った出力先に関する情報や印刷設定などを、ジョブ情報をスプールしているクライアントＰＣに通知することで、プリンターによる印刷処理が実行されることから、プリンターに対する印刷指示が容易となる。
【０００７】
ところで、プリンターに装着されているＩＣタグの規格の一つである、たとえばＮＦＣ  （Ｎｅａｒ  Ｆｉｅｌｄ  Ｃｏｍｍｕｎｉｃａｔｉｏｎ）タグのデータ記憶領域には、ＮＦＣ  Ｆｏｒｕｍにて定義されたフォーマットでのＮＦＣ情報が書き込まれ、ＮＦＣをサポートする端末からＮＦＣ情報の読み込みができるようになっている。ところが、ＮＦＣタグとして用意されている記憶領域よりも、ＮＦＣ情報のデータ量が少ない場合には、空き領域が多く存在し、有効活用が図られていないという問題があった。
【０００８】
本発明は、このような状況に鑑みてなされたものであり、上記問題点を解消することができる電子機器及び情報更新プログラムを提供することを目的とする。
【課題を解決するための手段】
【０００９】
本発明の電子機器は、セットアップの状態を示すステータス情報を有したセットアップ情報の記憶が可能な無線タグとの通信を制御する第１の通信制御部と、前記第１の通信制御部を介して前記無線タグに前記セットアップ情報が記憶されているかどうか確認し、前記セットアップ情報が記憶されている場合は前記セットアップ情報を読み込む第１のシステム制御部とを備え、前記第１のシステム制御部は、前記セットアップ情報に基づきセットアップを実行し、前記ステータス情報を前記セットアップの状態に合わせて書き換えることを特徴とする。
また、前記第１のシステム制御部は、前記セットアップが未完了、完了又は失敗のいずれかである場合、前記ステータス情報をセットアップ未完了、セットアップ完了又はセットアップ失敗のいずれかとすることを特徴とする。
本発明の電子機器は、無線タグとの通信を制御する第２の通信制御部と、前記第２の通信制御部を介し、前記無線タグのデータ書き込み領域を管理する管理情報を読み込む第２のシステム制御部とを備え、前記第２のシステム制御部は、前記管理情報に空き領域が有る場合、前記空き領域にセットアップの状態を示すステータス情報を有したセットアップ情報を書き込むことを特徴とする。
また、前記第２のシステム制御部は、前記管理情報に空き領域が無い場合、前記ステータス情報がセットアップ完了又はセットアップ失敗のいずれかに書き換えられているとき、前記セットアップ完了又はセットアップ失敗のセットアップ情報に新たなセットアップ情報を書き込むことを特徴とする。
本発明の情報更新プログラムは、セットアップの状態を示すステータス情報を有したセットアップ情報の記憶が可能な無線タグとの通信を制御する工程と、前記無線タグに前記セットアップ情報が記憶されているかどうか確認し、前記セットアップ情報が記憶されている場合は前記セットアップ情報を読み込む工程と、前記セットアップ情報に基づきセットアップを実行し、前記ステータス情報を前記セットアップの状態に合わせて書き換える工程とを電子機器を制御するコンピューターに実行させることを特徴とする。
本発明の情報更新プログラムは、無線タグとの通信を制御する工程と、前記無線タグのデータ書き込み領域を管理する管理情報を読み込む工程と、前記管理情報に空き領域が有る場合、前記空き領域にセットアップの状態を示すステータス情報を有したセットアップ情報を書き込む工程とを電子機器を制御するコンピューターに実行させることを特徴とする。
本発明の電子機器及び情報更新プログラムでは、電子機器がたとえば画像形成装置である場合、第１のシステム制御部がセットアップの状態を示すステータス情報を有したセットアップ情報の記憶が可能な無線タグとの通信を制御する第１の通信制御部を介し、無線タグにセットアップ情報が記憶されているかどうか確認し、セットアップ情報が記憶されている場合はセットアップ情報を読み込み、セットアップ情報に基づきセットアップを実行し、ステータス情報をセットアップの状態に合わせて書き換える。
また、電子機器がたとえば携帯端末である場合、第２のシステム制御部が無線タグとの通信を制御する第２の通信制御部を介し、無線タグのデータ書き込み領域を管理する管理情報を読み込み、管理情報に空き領域が有る場合、空き領域にセットアップの状態を示すステータス情報を有したセットアップ情報を書き込む。
このように、電子機器がたとえば画像形成装置である場合、無線タグのセットアップ情報に基づきセットアップを実行し、ステータス情報をセットアップの状態に合わせて書き換えることができる。また、電子機器がたとえば携帯端末である場合、無線タグに空き領域が有るとき、空き領域にセットアップの状態を示すステータス情報を有したセットアップ情報を書き込むことができる。
【発明の効果】
【００１０】
本発明の電子機器及び情報更新プログラムによれば、無線タグの空き領域にセットアップ情報を書き込んだり、セットアップ情報のステータス情報を書き換えたりできるので、無線タグの有効活用を図ることができる。
【図面の簡単な説明】
【００１１】
【図１】本発明の電子機器を、ＭＦＰや携帯端末に適用した場合の一実施形態を説明するための図である。
【図２】図１のＭＦＰ、ＮＦＣタグ及び携帯端末の構成の一例について説明するための図である。
【図３】図１のＮＦＣタグを説明するものであって、図３（ａ）は図１のＮＦＣタグの記憶領域の構成を示し、図３（ｂ）は図３（ａ）の空き領域に書き込まれる情報を示し、図３（ｃ）は図３（ｂ）の情報の詳細を示し、図３（ｄ）は図３（ｃ）のヘッダー及びデータの詳細を示す図である。
【図４】図１のＮＦＣタグの使用の一例について説明するための図である。
【図５】図１の携帯端末によるＮＦＣタグに対する情報の書き込み処理について説明するためのフローチャートである。
【図６】図１のＭＦＰ側でのＮＦＣタグの情報の読み取り処理について説明するためのフローチャートである。
【発明を実施するための形態】
【００１２】
以下、本発明の電子機器の一実施形態を、図１〜図６を参照しながら説明する。なお、以下の説明において、電子機器の一例としては、たとえば印刷機能、コピー機能、ＦＡＸ機能、ネットワーク経由でのデータ送受信機能などを搭載した複合的な周辺機器であるＭＦＰ（Ｍｕｌｔｉｆｕｎｃｔｉｏｎ  Ｐｅｒｉｐｈｅｒａｌ）や、スマートフォンなどの携帯端末であるものとする。なお、携帯端末としては、タブレット端末やノートパソコンなども適用できる。
【００１３】
まず、図１に示すように、ＭＦＰ１００には、ＮＦＣ（Ｎｅａｒ  Ｆｉｅｌｄ  Ｃｏｍｍｕｎｉｃａｔｉｏｎｓ）タグ（以下、無線タグという）２００が接続されている。無線タグ２００は、ＭＦＰ１００に対して有線（Ｉ２Ｃバスなどのシリアルバス）で接続されている。また、無線タグ２００は、携帯端末３００に対して無線接続されている。
【００１４】
また、詳細については後述するが、無線タグ２００に記憶される情報は、ＭＦＰ１００及び携帯端末３００によって書き換えできる。また、無線タグ２００には、携帯端末３００により、たとえば携帯端末３００に搭載されている様々なアプリケーションプログラムを起動させるためのユーザー固有情報やセットアップ情報などを書き込むこともできる。
【００１５】
次に、図２を参照し、ＭＦＰ１００、無線タグ２００、携帯端末３００の構成の一例について説明する。まず、ＭＦＰ１００は、プリンター部１０１、Ｉ／Ｆ（インターフェース）１０２、パネル部１０３、ＨＤＤ１０４を制御する制御部１１０を備えている。なお、ＭＦＰ１００は、スキャナー部、ＦＡＸ部などを備えていてもよい。
【００１６】
プリンター部１０１は、制御部１１０から出力される印刷データに基づき、図示しない用紙上に画像を印刷するデバイスである。Ｉ／Ｆ１０２は、無線タグ２００との通信を受け持つ。なお、Ｉ／Ｆ１０２は、ＬＡＮ（Ｌｏｃａｌ  Ａｒｅａ  Ｎｅｔｗｏｒｋ）などのネットワークを介し、携帯端末３００との通信を受け持つ。また、Ｉ／Ｆ１０２は、図示しないコンテンツサーバーやウェブサーバーなどとの通信を受け持ってもよい。パネル部１０３は、ＭＦＰ１００の印刷機能、コピー機能、ＦＡＸ機能、ネットワーク経由でのデータ送受信機能や、各種設定のための表示を行うタッチパネルなどのデバイスである。ＨＤＤ１０４は、ＭＦＰ１００の種々の機能を提供するためのアプリケーションプログラムなどを記憶している記憶デバイスである。また、ＨＤＤ１０４は、たとえば図示しないユーザー端末から登録された印刷ジョブを記憶するユーザーボックスを有している。
【００１７】
制御部１１０は、画像形成プログラムや制御プログラムなどを実行してＭＦＰ１００全体の動作を制御するプロセッサーである。制御部１１０は、プリンター制御部１１１、通信制御部１１２、ＲＡＭ１１３、ＲＯＭ１１４、画像処理部１１５、パネル操作制御部１１６、ＨＤＤ制御部１１７、システム制御部１１８を備えている。また、これらは、データバス１１９に接続されている。
【００１８】
プリンター制御部１１１は、プリンター部１０１の印刷動作を制御する。通信制御部１１２は、Ｉ／Ｆ１０２を介し、無線タグ２００などとの送受信の制御を行う。ＲＡＭ１１３は、プログラムを実行するためのワークメモリーである。ＲＯＭ１１４には、各部の動作チェックなどを行う制御プログラムが記憶されている。画像処理部１１５は、たとえばＨＤＤ１０４のユーザーボックスに登録された印刷ジョブに対する画像処理（ラスタライズ）を行う。なお、システム制御部１１８は、画像処理部１１５が画像処理した印刷データを、一旦、ＲＡＭ１１３に記憶させる。
【００１９】
パネル操作制御部１１６は、パネル部１０３の表示動作を制御する。また、パネル操作制御部１１６は、パネル部１０３を介し、印刷、コピー、ＦＡＸ、ネットワーク経由でのデータ送受信などの開始の設定などを受け付ける。ＨＤＤ制御部１１７は、ＨＤＤ１０４に対するデータの読み込み及び書き込みなどを制御する。
【００２０】
システム制御部１１８は、各部の連携動作を制御する。また、システム制御部１１８は、詳細については後述するが、たとえば無線タグ２００に書き込まれたセットアップ情報などを読み込みセットアップなどを実行する。
【００２１】
無線タグ２００は、Ｉ／Ｆ２０１を制御する制御部２１０を備えている。Ｉ／Ｆ１０２は、ＭＦＰ１００との通信を受け持つ。制御部２１０は、アンテナ部２１１とＩＣチップ２１２とを有している。アンテナ部２１１は、特定の周波数（たとえば１３．５６ＭＨｚ）を利用して携帯端末３００との通信を行う。ＩＣチップ２１２は、後述のＮＦＣユーザーデータなどを記憶する不揮発性メモリーを有している。また、ＩＣチップ２１２は、Ｉ／Ｆ２０１又はアンテナ部２１１を介して受け取った情報を不揮発性メモリーに書き込んだり、不揮発性メモリーの情報をＩ／Ｆ２０１又はアンテナ部２１１を介して送信したりする。なお、不揮発性メモリーの情報は、ＮＦＣ規格で定義されたフォーマットで書き込まれる。
【００２２】
携帯端末３００は、アンテナ３０１、パネル部３０２を制御する制御部３１０を備えている。アンテナ３０１は、無線無線タグ２００などとの通信を受け持つ。なお、アンテナ３０１は、ネットワークを介し、ＭＦＰ１００や、図示しないコンテンツサーバーやウェブサーバーなどとの通信を受け持つ。パネル部３０２は、携帯端末３００の各種機能の選択、文字入力、情報表示などを行うタッチパネルなどのデバイスである。
【００２３】
制御部３１０は、アプリケーションプログラム及び制御プログラムなどを実行して携帯端末３００全体の動作を制御するプロセッサーである。制御部３１０は、通信制御部３１１、ＲＡＭ３１２、ＲＯＭ３１３、パネル操作制御部３１４、システム制御部３１５を備えている。また、これらは、データバス３１６に接続されている。
【００２４】
通信制御部３１１は、アンテナ３０１を介し、無線タグ２００やＭＦＰ１００などの送受信の制御を行う。ＲＡＭ３１２は、プログラムを実行するためのワークメモリーである。ＲＯＭ３１３には、各部の動作チェックなどを行う制御プログラムが記憶されている。パネル操作制御部３１４は、パネル部３０２の表示動作などを制御する。
【００２５】
システム制御部３１５は、各部の連携動作などを制御する。また、システム制御部３１５は、無線タグリーダーライター機能を有し、パネル部３０２を介して無線タグ２００の情報の読み込みや書き込みの指示があると、通信制御部３１１に対し、アンテナ３０１から電波を送信させる。
【００２６】
次に、図３を参照し、無線タグ２００の構成について説明する。まず、無線タグ２００は、ＮＦＣ規格で定義されたフォーマットでデータが書き込まれる。無線タグ２００は、たとえばＮＦＣユーザーデータが書き込まれる領域２２１と、空き領域２２２とを有するＮＦＣ情報（１）と、システム領域２２３を有するＮＦＣ情報（２）とを有している。なお、ＮＦＣ情報（１）とＮＦＣ情報（２）とは、データ書き込み領域などを管理する管理情報である。すなわち、ＮＦＣ情報（１）は、たとえばＮＦＣユーザーデータが書き込まれる領域２０１のサイズと、空き領域２２２のサイズとを有している。また、ＮＦＣ情報（２）は、たとえばシステム領域２２３のサイズを有している。ＮＦＣユーザーデータが書き込まれる領域２２１には、ＭＦＰ１００のデバイス情報が書き込まれる。デバイス情報としては、たとえばマシン名称、ネットワークの有線、無線の接続情報などが書き込まれる。
【００２７】
ＮＦＣ情報（１）の空き領域２２２には、たとえば図３（ｂ）に示すように、セットアップ情報（１）、セットアップ情報（２）などを書き込み可能である。セットアップ情報（１）及びセットアップ情報（２）は、それぞれのセットアップに関する情報の内容が異なる。図３において、空き領域２２２の拡大図は、空き領域２２２にセットアップ情報（１）及びセットアップ情報（２）が書き込まれた状態を示している。この状態において、空き領域は、空き領域２２２からセットアップ情報（１）及びセットアップ情報（２）が記憶されている領域を除いた領域となる。
【００２８】
ここで、たとえばセットアップ情報（１）は、たとえば図３（ｃ）に示すように、ヘッダーとデータとを有している。ヘッダーには、たとえば開始タグ情報、データサイズ、セットアップ種別、セットアップ後処理、ステータス情報が含まれる。データには、セットアップデータが含まれる。
【００２９】
なお、図３（ｃ）のヘッダー及びデータの詳細は、図３（ｄ）に示す通りである。すなわち、開始タグ情報は、セットアップデータの開始位置を示す。データサイズは、セットアップ情報の有効サイズを示す。セットアップ種別は、どのようなセットアップを行うかを示す。セットアップ後処理は、セットアップ完了後のセットアップデータの扱い（例えば、消去、ＨＤＤ１０４に記憶等）を示す。ステータス情報は、セットアップの未完了、完了、失敗のいずれかを示す。セットアップデータは、セットアップに必要な情報を示す。なお、たとえばセットアップ情報（１）には、装着ユニットの識別番号やシリアル番号、調整情報、外部サーバーとの接続情報なども書き込まれる。ここで、セットアップ種別は、具体的には、例えば、セットアップデータ内の識別番号やシリアル番号に該当する装着ユニットを調整情報に基づいてデフォルト値の設定等を行うことや、接続情報に基づいて接続設定を行うことを示す。
【００３０】
次に、図４を参照し、無線タグ２００の使用方法の一例について説明する。なお、図４において、符号４１０は読取装置を示し、符号４２０は下段カセットを示し、符号４３０はデータベースサーバーを示し、符号４４０はインターネットなどのネットワークを示している。また、読取装置４１０及び下段カセット４２０は、ＭＦＰ１００のオプションとして用意されているものである。なお、ＭＦＰ１００のオプションとしては、読取装置４１０及び下段カセット４２０以外にも複数部印刷時の仕分けやステープルが可能なフィニッシャーなども用意されているが、ここでは他のオプションについての説明を省略する。
【００３１】
（ステップＳ１０１）
図示しない外部端末により、読取装置４１０及び下段カセット４２０の組み立て工程に関する情報４１１、４２１を構築する。
なお、情報４１１には、たとえば読取装置４１０のユニットシリアル番号、調整設定値、ファームウェアバージョンなどが含まれる。また、情報４２１には、下段カセット４２０のユニットシリアル番号、調整設定値、ファームウェアバージョンなどが含まれる。
また、これらの情報４１１、４２１が構築されると、それぞれのユニットシリアル番号を示すバーコード４１２、４２２が用意される。これらのバーコードは、読取装置４１０及び下段カセット４２０の側面などに貼着される。また、読取装置４１０及び下段カセット４２０の取扱説明書などに印刷又は貼着されてもよい。
【００３２】
（ステップＳ１０２）
図示しない外部端末により、ネットワーク４４０を介し、データベースサーバー４３０に読取装置４１０及び下段カセット４２０の組み立て工程に関する情報４１１、４２１を登録する。
【００３３】
（ステップＳ１０３）
携帯端末３００により、それぞれのバーコード４１２、４２２を読み取り、それぞれのユニットシリアル番号を取得する。
【００３４】
（ステップＳ１０４）
携帯端末３００により、取得したユニットシリアル番号に基づき、データベースサーバー４３０にアクセスして読取装置４１０及び下段カセット４２０の組み立て工程に関する情報４１１、４２１を取得する。
【００３５】
（ステップＳ１０５）
携帯端末３００により、取得した読取装置４１０及び下段カセット４２０の組み立て工程に関する情報４１１、４２１を無線タグ２００に書き込む。
この場合、読取装置４１０の組み立て工程に関する情報４１１を、たとえば図３（ｂ）のセットアップ情報（１）として書き込む。
また、下段カセット４２０の組み立て工程に関する情報４２１を、たとえば図３（ｂ）のセットアップ情報（２）として書き込む。
【００３６】
（ステップＳ１０６）
ＭＦＰ１００がたとえば図３（ｂ）のセットアップ情報（１）、（２）を読み込み、セットアップを実行する。
なお、ＭＦＰ１００がセットアップ情報（１）、（２）を読み込むタイミングは、ＭＦＰ１００の電源がオンされたときであってもよいし、パネル部１０３又は携帯端末３００からセットアップ情報（１）、（２）の読み込み指示が与えられたときであってもよい。
【００３７】
なお、ステップＳ１０５において、携帯端末３００により、それぞれのユニットシリアル番号を無線タグ２００に書き込み、ステップＳ１０６において、ＭＦＰ１００がデータベースサーバー４３０にアクセスして読取装置４１０及び下段カセット４２０の組み立て工程に関する情報４１１、４２１を取得してもよい。
【００３８】
次に、図５を参照し、携帯端末３００側の処理について説明する。なお、以下では、無線タグ２００の空き領域２２２に、たとえば図４で示した読取装置４１０及び下段カセット４２０の組み立て工程に関する情報４１１、４２１を書き込む場合として説明する。
【００３９】
（ステップＳ２０１）
システム制御部３１５は、無線タグ２００を読み込む。
この場合、システム制御部３１５は、通信制御部３１１を介し、無線タグ２００との近距離通信により、無線タグ２００を読み込む。
【００４０】
（ステップＳ２０２）
システム制御部３１５は、無線タグ２００に空き領域２２２があるかどうかを判断する。
この場合、システム制御部３１５は、無線タグ２００との近距離通信により、たとえば図３に示したＮＦＣ情報（１）の空き領域２２２のサイズを読み込み、空き領域２２２が有ると判断すると（ステップＳ２０２：Ｙｅｓ）、ステップＳ２０６に移行する。
これに対し、システム制御部３１５は、空き領域２２２が無いと判断すると（ステップＳ２０２：Ｎｏ）、ステップＳ２０３に移行する。
【００４１】
（ステップＳ２０３）
システム制御部３１５は、無線タグ２００のステータス情報を読み込む。
この場合、システム制御部３１５は、無線タグ２００との近距離通信により、たとえば図３に示したセットアップ情報（１）のヘッダーに書き込まれているステータス情報を読み込む。
【００４２】
（ステップＳ２０４）
システム制御部３１５は、ステータスがセットアップ未完了かどうかを判断する。
この場合、システム制御部３１５は、ステータス情報がセットアップ完了又はセットアップ失敗を示す場合、ステータスがセットアップ未完了でないと判断し（ステップＳ２０４：Ｎｏ）、ステップＳ２０６に移行する。
これに対し、システム制御部３１５は、ステータス情報がセットアップ未完了を示す場合、ステータスがセットアップ未完了であると判断し（ステップＳ２０４：Ｙｅｓ）、ステップＳ２０５に移行する。
【００４３】
（ステップＳ２０５）
システム制御部３１５は、空き領域２２２が無いことを表示させる。
この場合、システム制御部３１５は、パネル操作制御部３１４を介し、パネル部３０２に空き領域２２２が無いことを表示させる。
【００４４】
（ステップＳ２０６）
システム制御部３１５は、書き込みパスワードを解除させる。
この場合、システム制御部３１５は、パネル部３０２を介して入力されたパスワードを無線タグ２００に送信する。
【００４５】
（ステップＳ２０７）
システム制御部３１５は、解除に成功したかどうかを判断する。
この場合、システム制御部３１５は、無線タグ２００との近距離通信により、パスワードが解除されれば解除に成功したと判断し（ステップＳ２０７：Ｙｅｓ）、ステップＳ２０９に移行する。
これに対し、システム制御部３１５は、パスワードが解除されなければ解除に成功しないと判断し（ステップＳ２０７：Ｎｏ）、ステップＳ２０８に移行する。
【００４６】
（ステップＳ２０８）
システム制御部３１５は、認証失敗を表示させる。
この場合、システム制御部３１５は、パネル操作制御部３１４を介し、パネル部３０２に認証に失敗ことを表示させる。
【００４７】
（ステップＳ２０９）
システム制御部３１５は、セットアップ情報を書き込む。
この場合、システム制御部３１５は、無線タグ２００との近距離通信により、無線タグ２００の空き領域２２２にたとえばセットアップ情報（１）を書き込む。また、システム制御部３１５は、無線タグの空き容量がない場合、無線タグ２００との近距離通信により、無線タグ２００に既に書き込まれているセットアップ情報を消去して、セットアップ情報（１）を書き込んでもよい。
セットアップ情報（１）の内容としては、たとえば図４で説明した読取装置４１０及び下段カセット４２０の組み立て工程に関する情報４１１、４２１などであってもよい。また、セットアップ情報（１）のステータス情報は「未完了」である。
なお、無線タグ２００の空き領域２２２に書き込む情報は特に限定されるものではない。たとえば、携帯端末３００に搭載されている様々なアプリケーションプログラムを起動させるためのユーザー固有情報などを書き込んでもよい。
【００４８】
（ステップＳ２１０）
システム制御部３１５は、書き込みが成功したかどうかを判断する。
この場合、システム制御部３１５は、無線タグ２００との近距離通信により、書き込みが成功したと判断すると（ステップＳ２１０：Ｙｅｓ）、ステップＳ２１２に移行する。
これに対し、システム制御部３１５は、書き込みが成功しないと判断すると（ステップＳ２１０：Ｎｏ）、ステップＳ２１１に移行する。
【００４９】
（ステップＳ２１１）
システム制御部３１５は、書き込み失敗を表示させる。
この場合、システム制御部３１５は、パネル操作制御部３１４を介し、パネル部３０２に書き込みが失敗したことを表示させる。
【００５０】
（ステップＳ２１２）
システム制御部３１５は、書き込み完了を表示させる。
この場合、システム制御部３１５は、パネル操作制御部３１４を介し、パネル部３０２に書き込みが完了したことを表示させる。
【００５１】
次に、図６を参照し、ＭＦＰ１００側の処理について説明する。なお、以下の処理は、たとえばＭＦＰ１００の電源がオンされたとき実行されるものとする。
【００５２】
（ステップＳ３０１）
システム制御部１１８は、無線タグ２００を読み込む。
この場合、システム制御部１１８は、通信制御部１１２を介し、無線タグ２００との有線（Ｉ２Ｃバスなどのシリアルバス）を介しての通信により、無線タグ２００を読み込む。
【００５３】
（ステップＳ３０２）
システム制御部１１８は、セットアップ情報が有るかどうかを判断する。
この場合、システム制御部１１８は、図３に示した空き領域２２２に、たとえばセットアップ情報（１）が書き込まれているかどうかを確認し、セットアップ情報（１）が書き込まれている場合は、セットアップ情報が有ると判断し（ステップＳ３０２：Ｙｅｓ）、ステップＳ３０３に移行する。
これに対し、システム制御部１１８は、セットアップ情報（１）が書き込まれていない場合は、セットアップ情報が無いと判断し（ステップＳ３０２：Ｎｏ）、処理を終了する。
【００５４】
（ステップＳ３０３）
システム制御部１１８は、ステータス情報を読み込む。
この場合、システム制御部１１８は、たとえばセットアップ情報（１）のヘッダーに書き込まれているステータス情報を読み込む。
【００５５】
（ステップＳ３０４）
システム制御部１１８は、ステータスがセットアップ未完了かどうかを判断する。
この場合、システム制御部１１８は、たとえばセットアップ情報（１）のヘッダーに書き込まれているステータス情報がセットアップ未完了を示す場合ステータスがセットアップ未完了であると判断し（ステップＳ３０４：Ｙｅｓ）、ステップＳ３０５に移行する。
これに対し、システム制御部１１８は、ステータスがセットアップ完了又はセットアップ失敗を示す場合、ステータスがセットアップ未完了でないと判断し（ステップＳ３０４：Ｎｏ）、処理を終了する。
【００５６】
（ステップＳ３０５）
システム制御部１１８は、セットアップを実行する。
この場合、システム制御部１１８は、たとえば携帯端末３００が書き込んだ読取装置４１０及び下段カセット４２０の組み立て工程に関する情報４１１、４２１に基づき、セットアップを実行する。
【００５７】
（ステップＳ３０６）
システム制御部１１８は、セットアップ成功かどうかを判断する。
この場合、システム制御部１１８は、たとえば情報４１１、４２１に含まれる調整設定値などに基づく設定が完了しなければ、セットアップ成功でないと判断し（ステップＳ３０６：Ｎｏ）、ステップＳ３０９に移行する。
これに対し、システム制御部１１８は、たとえば情報４１１、４２１に含まれる調整設定値などに基づく設定が完了すれば、セットアップ成功と判断し（ステップＳ３０６：Ｙｅｓ）、ステップＳ３０７に移行する。
【００５８】
（ステップＳ３０７）
システム制御部１１８は、ステータス情報を「完了」とする。
この場合、システム制御部１１８は、たとえば図３に示したセットアップ情報（１）のヘッダーのステータス情報に「完了」を書き込む。
【００５９】
（ステップＳ３０８）
システム制御部１１８は、セットアップ成功を表示させる。
この場合、システム制御部１１８は、パネル操作制御部１１６を介し、パネル部１０３にセットアップ成功を表示させる。
【００６０】
（ステップＳ３０９）
システム制御部１１８は、ステータス情報を「失敗」とする。
この場合、システム制御部１１８は、たとえば図３に示したセットアップ情報（１）のヘッダーのステータス情報に「失敗」を書き込む。
【００６１】
（ステップＳ３１０）
システム制御部１１８は、セットアップ失敗を表示させる。
この場合、システム制御部１１８は、パネル操作制御部１１６を介し、パネル部１０３にセットアップ失敗を表示させる。
【００６２】
このように、本実施形態では、電子機器がたとえばＭＦＰ１００である場合、システム制御部１１８（第１のシステム制御部）がセットアップの状態を示すステータス情報を有したセットアップ情報の記憶が可能な無線タグ２００との通信を制御する通信制御部１１２（第１の通信制御部）を介し、無線タグ２００にセットアップ情報が記憶されているかどうか確認し、セットアップ情報が記憶されている場合はセットアップ情報を読み込み、セットアップ情報に基づきセットアップを実行し、ステータス情報をセットアップの状態に合わせて書き換える。
【００６３】
また、電子機器がたとえば携帯端末３００である場合、システム制御部３１５（第２のシステム制御部）が無線タグ２００との通信を制御する通信制御部３１１（第２の通信制御部）を介し、無線タグ２００のデータ書き込み領域を管理するＮＦＣ情報（管理情報）を読み込み、ＮＦＣ情報（管理情報）に空き領域２２２が有る場合、空き領域２２２にセットアップの状態を示すステータス情報を有したセットアップ情報を書き込む。
【００６４】
このように、携帯端末３００が無線タグ２００の空き領域２２２にセットアップ情報を書き込んだり、ＭＦＰ１００がセットアップ情報のステータス情報を書き換えたりできるので、無線タグ２００の有効活用を図ることができる。
【００６５】
また、ＭＦＰ１００は、無線タグ２００に書き込まれたセットアップ情報に基づきセットアップを実行するので、パネル部１０３を介しての調整設定やネットワークとの接続設定などを省くことができる。
【００６６】
また、携帯端末３００は、無線タグ２００の空き領域２２２にセットアップ情報以外の任意の情報を書き込むことができる。
【００６７】
なお、本実施形態では、本発明の電子機器をＭＦＰ１００に適用した場合として説明したが、ＰＣ（ｐｅｒｓｏｎａｌ  ｃｏｍｐｕｔｅｒ）などの情報機器や、家電などにも適用可能である。
【符号の説明】
【００６８】
１００  ＭＦＰ
１０１  プリンター部
１０２、２０１  Ｉ／Ｆ
１０３、３０２  パネル部
１０４  ＨＤＤ
１１０、２１０、３１０  制御部
１１１  プリンター制御部
１１２、３１１  通信制御部
１１３、３１２  ＲＡＭ
１１４、３１３  ＲＯＭ
１１５  画像処理部
１１６、３１４  パネル操作制御部
１１７  ＨＤＤ制御部
１１８  システム制御部
１１９  データバス
２００  無線タグ
２１１  アンテナ部
２１２  ＩＣチップ
２２１  ＮＦＣユーザーデータ領域
２２２  空き領域
２２３  システム領域
３００  携帯端末
３０１  アンテナ
３１５  システム制御部
３１６  データバス
４１０  読取装置
４１１、４２１  情報
４１２、４２２  バーコード
４２０  下段カセット
４３０  データベースサーバー
４４０  ネットワーク
【図１】
2018013951.tif 000003
【図２】
2018013951.tif 000004
【図３】
2018013951.tif 000005
【図４】
2018013951.tif 000006
【図５】
2018013951.tif 000007
【図６】
2018013951.tif 000008